(57)【要約】【課題】  同時放送の受信処理において、利用者の利便性を向上させる。【解決手段】  映像調整部２５０のＡ階層抽出部２５１が、Ａ階層映像におけるＡ階層輪郭の抽出を行い、Ｂ階層抽出部２５２が、Ｂ階層映像におけるＢ階層輪郭の抽出を行う。そして、評価部２５３が、Ａ階層輪郭、Ｂ階層輪郭のそれぞれについて、表示時における大きさ及び表示位置を導出する。引き続き、調整部２５４が、Ａ階層輪郭とＢ階層輪郭との大きさ関係に基づいて、表示時における大きさの比が第１許容範囲内となるように、Ａ階層映像の大きさを調整する。また、調整部２５４は、Ａ階層輪郭とＢ階層輪郭との位置関係に基づいて、Ａ階層輪郭部及びＢ階層輪郭部の表示位置の差が第２許容範囲内で一致するように、Ａ階層映像の表示位置を調整する。【選択図】  図３
2010081302.tif 000002
【特許請求の範囲】
【請求項１】
移動体とともに移動し、第１放送及び第２放送を含む複数の放送によって、映像を含む同一番組が同一時間帯に放送される同時放送の受信処理を行う放送受信装置であって、
画像を表示する表示手段と；
前記第１及び第２放送に関する再生前処理を行い、第１及び第２コンテンツ復号結果を生成する生成手段と；
前記第１コンテンツ復号結果と前記第２コンテンツ復号結果とを同期化させる同期化手段と；
前記同期化手段により同期化された前記第１コンテンツ復号結果に含まれる第１映像における輪郭抽出を行う第１輪郭抽出手段と；
前記同期化手段により同期化された前記第２コンテンツ復号結果に含まれる第２映像における輪郭抽出を行う第２輪郭抽出手段と；
前記第１輪郭抽出手段により抽出された第１輪郭と、前記第２輪郭抽出手段により抽出された第２輪郭との大きさ関係に基づいて、前記第１及び第２映像の前記表示手段における表示時に、前記第１及び第２輪郭の大きさを略同一となるように調整する第１調整手段と；
前記第１輪郭と前記第２輪郭との位置関係に基づいて、前記第１及び第２映像の少なくとも一方の前記表示手段における表示位置を、前記第１及び第２輪郭の表示位置が略同一となるように調整する第２調整手段と；
を備えることを特徴とする放送受信装置。
【請求項２】
前記第１及び第２コンテンツ復号結果における映像が、同一コンテンツに基づくものであるか否かを判定する判定手段を更に備え、
前記判定手段による判定の結果が肯定的であった場合に、前記第１及び第２調整手段による調整が行われる、
ことを特徴とする請求項１に記載の放送受信装置。
【請求項３】
前記表示手段における画素構成と適合するように、前記第１及び第２調整手段による調整が行われる、ことを特徴とする請求項１又は２に記載の放送受信装置。
【請求項４】
前記第１放送及び前記第２放送を含む放送波の受信品質を計測する計測手段と；
前記第１及び第２調整手段により調整された第１及び第２コンテンツ復号結果の一方を選択して出力する選択手段と；
前記計測手段による計測結果に基づいて、前記選択手段に対して、前記第１及び第２コンテンツ復号結果のいずれを選択すべきかを制御する選択制御手段と；を更に備える、
ことを特徴とする請求項１〜３のいずれか一項に記載の放送受信装置。
【請求項５】
前記第１及び第２輪郭が、共に、複数の輪郭を含む場合には、映像中心位置に近い輪郭を重視して、前記第１及び第２調整手段による調整が行われる、ことを特徴とする請求項１〜４のいずれか一項に記載の放送受信装置。
【請求項６】
前記第１及び第２コンテンツ復号処理結果には、音声が含まれ、
前記同期化手段は、前記音声を利用して、前記第１コンテンツ復号結果と前記第２コンテンツ復号結果とを同期化させる、
ことを特徴とする請求項１〜５のいずれか一項に記載の放送受信装置。
【請求項７】
移動体とともに移動し、第１放送及び第２放送を含む複数の放送によって、映像を含む同一番組が同一時間帯に放送される同時放送の受信処理方法であって、
前記第１及び第２放送に関する再生前処理を行い、第１及び第２コンテンツ復号結果を生成する生成工程と；
前記第１コンテンツ復号結果と前記第２コンテンツ復号結果とを同期化させる同期化工程と；
前記同期化工程において同期化された前記第１コンテンツ復号結果に含まれる第１映像における輪郭抽出を行う第１輪郭抽出工程と；
前記同期化工程において同期化された前記第２コンテンツ復号結果に含まれる第２映像における輪郭抽出を行う第２輪郭抽出工程と；
前記第１輪郭抽出工程において抽出された第１輪郭と、前記第２輪郭抽出工程において抽出された第２輪郭との大きさ関係に基づいて、前記第１及び第２映像の表示時において前記第１及び第２輪郭の大きさが略同一となるように調整する第１調整工程と；
前記第１輪郭と前記第２輪郭との位置関係に基づいて、前記第１及び第２映像の少なくとも一方の表示位置を、前記第１及び第２輪郭の表示位置が略同一となるように調整する第２調整工程と；
を備えることを特徴とする受信処理方法。
【請求項８】
請求項７に記載の受信処理方法を演算手段に実行させる、ことを特徴とする受信処理プログラム。
【請求項９】
請求項８に記載の受信処理プログラムが、演算手段により読み取り可能に記録されている、ことを特徴とする記録媒体。
【発明の詳細な説明】
【技術分野】
【０００１】
本発明は、放送受信装置、受信処理方法、受信処理プログラム、及び、当該受信処理プログラムが記録された記録媒体に関する。
【背景技術】
【０００２】
近年、放送のデジタル化が進められ、地上デジタル放送、ＢＳ（Broadcasting Satellite）デジタル放送及びＣＳ（Communication Satellite）放送が実用化されている。こうしたデジタル放送は、ＩＳＤＢ−Ｔ（International Services Digital Broadcasting  Terrestrial）規格に準拠した階層伝送と呼ばれる伝送方式を採用している。
【０００３】
かかる階層伝送は、１つのチャンネル（伝送帯域）内を複数の領域（「セグメント」と呼ばれる）に分割し、セグメントごとに異なる変調方式で放送信号を伝送して、異なる複数の放送を同一チャンネルで同時に放送する伝送方式である。例えば、現行の地上デジタル放送では、１チャンネル内を１３個のセグメントに分割して、Ａ階層として中心の１個のセグメントに１つの放送信号を変調し、Ｂ階層として残りの１２個のセグメントに他の１つの放送信号を変調するようになっている。そして、Ａ階層放送及びＢ階層放送において、同一の番組を同時に放送する同時放送（サイマル放送）が行われるようになっている。
【０００４】
上記の同時放送を受信する放送受信装置においては、放送波の受信品質を参照し、受信品質が良好なときにはエラー耐性の低いＢ階層放送に基づく再生出力を行い、受信品質が良好でないときにはエラー耐性の高いＡ階層放送に基づく再生出力を行うようになっている。ところで、１セグメントを使用した放送（以下、「ワンセグ放送」とも呼ぶ）と、１２セグメントを使用した放送（以下、「１２セグ放送」とも呼ぶ）とでは、もともと、ワンセグ放送が携帯受信向けモバイル放送であり、１２セグ放送が家庭向け一般放送であることから、両者の映像の大きさが異なっている。かかる放送間の映像の大きさの違いは、放送切換時に、視聴者に違和感を与えるものである。
【０００５】
そこで、こうした放送切換時に発生する映像の大きさの違いによる違和感を低減させるため、映像の大きさを調整する技術が提案されている（特許文献１等参照：以下、「従来例」という）。この従来例の技術は、ワンセグ放送に基づく映像の大きさを変更して、１２セグ放送に基づく映像の大きさに合わせるものである。
【０００６】
【特許文献１】特開２００６−７４４５６号公報
【発明の開示】
【発明が解決しようとする課題】
【０００７】
上述した従来例の技術では、一般に、同時放送におけるワンセグ放送に基づく映像と、１２セグ放送に基づく映像とを同じ大きさに調整する際には、各映像の画素構成やアスペクト比等の映像構成情報を参照して行う。しかしながら、こうした従来例の技術によって、映像の大きさの調整を行うと、同時放送におけるワンセグ放送映像と１２セグ放送映像とでは、互いに対応する映像フレームにおける中心位置と映像内容との関係や、映像内容の大きさの縦の縮尺と横の縮尺とが微妙にずれる場合があった。
【０００８】
こうした場合には、ワンセグ放送と１２セグ放送との間で放送切換が行われたときに、提示される表示映像がシフトしたように見えたり、表示映像内容の縦横比が変化したように見えたりすることになる。こうした現象の発生は、利用者に対して、違和感を与えることになる。
【０００９】
このため、同時放送の受信処理において、同時放送を行っている放送間の切換時に、利用者が感じる違和感を低減できる技術が待望されている。かかる要請に応えることが、本発明が解決すべき課題の一つとして挙げられる。
【００１０】
本発明は、上記の事情を鑑みてなされたものであり、同時放送の受信処理において、利用者の利便性を向上させることができる新たな放送受信装置及び受信処理方法を提供することを目的とする。
【課題を解決するための手段】
【００１１】
請求項１に記載の発明は、移動体とともに移動し、第１放送及び第２放送を含む複数の放送によって、映像を含む同一番組が同一時間帯に放送される同時放送の受信処理を行う放送受信装置であって、画像を表示する表示手段と；前記第１及び第２放送に関する再生前処理を行い、第１及び第２コンテンツ復号結果を生成する生成手段と；前記第１コンテンツ復号結果と前記第２コンテンツ復号結果とを同期化させる同期化手段と；前記同期化手段により同期化された前記第１コンテンツ復号結果に含まれる第１映像における輪郭抽出を行う第１輪郭抽出手段と；前記同期化手段により同期化された前記第２コンテンツ復号結果に含まれる第２映像における輪郭抽出を行う第２輪郭抽出手段と；前記第１輪郭抽出手段により抽出された第１輪郭と、前記第２輪郭抽出手段により抽出された第２輪郭との大きさ関係に基づいて、前記第１及び第２映像の前記表示手段における表示時に、前記第１及び第２輪郭の大きさを略同一となるように調整する第１調整手段と；前記第１輪郭と前記第２輪郭との位置関係に基づいて、前記第１及び第２映像の少なくとも一方の前記表示手段における表示位置を、前記第１及び第２輪郭の表示位置が略同一となるように調整する第２調整手段と；を備えることを特徴とする放送受信装置である。
【００１２】
請求項７に記載の発明は、移動体とともに移動し、第１放送及び第２放送を含む複数の放送によって、映像を含む同一番組が同一時間帯に放送される同時放送の受信処理方法であって、前記第１及び第２放送に関する再生前処理を行い、第１及び第２コンテンツ復号結果を生成する生成工程と；前記第１コンテンツ復号結果と前記第２コンテンツ復号結果とを同期化させる同期化工程と；前記同期化工程において同期化された前記第１コンテンツ復号結果に含まれる第１映像における輪郭抽出を行う第１輪郭抽出工程と；前記同期化工程において同期化された前記第２コンテンツ復号結果に含まれる第２映像における輪郭抽出を行う第２輪郭抽出工程と；前記第１輪郭抽出工程において抽出された第１輪郭と、前記第２輪郭抽出工程において抽出された第２輪郭との大きさ関係に基づいて、前記第１及び第２映像の表示時において前記第１及び第２輪郭の大きさが略同一となるように調整する第１調整工程と；前記第１輪郭と前記第２輪郭との位置関係に基づいて、前記第１及び第２映像の少なくとも一方の表示位置を、前記第１及び第２輪郭の表示位置が略同一となるように調整する第２調整工程と；を備えることを特徴とする受信処理方法である。
【００１３】
請求項８に記載の発明は、請求項７に記載の受信処理方法を演算手段に実行させる、ことを特徴とする受信処理プログラムである。
【００１４】
請求項９に記載の発明は、請求項８に記載の受信処理プログラムが、演算手段により読み取り可能に記録されている、ことを特徴とする記録媒体である。
【発明を実施するための最良の形態】
【００１５】
以下、本発明の一実施形態を、図１〜図５を参照して説明する。なお、以下の説明及び図面においては、同一又は同等の要素には同一の符号を付し、重複する説明を省略する。
【００１６】
［構成］
図１には、一実施形態に係る放送受信装置１００の概略的な構成がブロック図にて示されている。この放送受信装置１００は、車両に搭載され、地上デジタル放送において同時放送が行われているＡ階層放送（ワンセグ放送）とＢ階層放送（１２セグ放送）とを受信する放送受信装置である。
【００１７】
この図１に示されるように、放送受信装置１００は、アンテナ１１０と、ＲＦ処理ユニット１２０と、計測手段としてのチャンネルデコードユニット１３０と、ソースデコードユニット１４０と、選択手段としての選択ユニット１５０とを備えている。また、放送受信装置１００は、音出力ユニット１６０と、表示手段としての表示ユニット１７０と、操作入力ユニット１８０とを備えている。さらに、放送受信装置１００は、選択制御手段としての制御ユニット１９０を備えている。
【００１８】
上記のアンテナ１１０は、放送波を受信する。アンテナ１１０による受信結果は、受信信号ＲＦＳとしてＲＦ処理ユニット１２０へ送られる。
【００１９】
上記のＲＦ処理ユニット１２０は、制御ユニット１９０から供給された選局指令ＣＳＬに従って、選局すべきチャンネルの信号を受信信号ＲＦＳから抽出する選局処理を行う。かかる機能を有するＲＦ処理ユニット１２０は、入力フィルタ、高周波増幅器、バンドパスフィルタ（以下、「ＲＦフィルタ」とも呼ぶ）、ミキサ（混合器）、中間周波フィルタ（以下、「ＩＦフィルタ」とも呼ぶ）、局部発振回路等（いずれも不図示）を備えて構成されている。
【００２０】
このＲＦ処理ユニット１２０では、アンテナ１１０からの受信信号ＲＦＳが、入力フィルタを通過することにより、帯域外成分が除去された後、高周波増幅器により増幅される。こうして高周波増幅器により増幅された信号は、ＲＦフィルタにより、特定の高周波数範囲の信号が抽出された後、ミキサにおいて、制御ユニット１９０からの選局指令ＣＳＬに従って局部発振回路により生成された希望局に対応する周波数を有する局部発振信号と混合される。ミキサによる混合結果からＩＦフィルタにより予め定められた中間周波数帯の信号が選択される。この選択結果が、アナログデジタル変換された後、選局信号ＣＳＳとして、チャンネルデコードユニット１３０へ送られる。
【００２１】
なお、選局指令ＣＳＬはデジタル形式で制御ユニット１９０から出力されるが、デジタルアナログ変換された後に、局部発振回路において利用されるようになっている。
【００２２】
上記のチャンネルデコードユニット１３０は、制御ユニット１９０による制御のもとで、ＲＦ処理ユニット１２０からの選局信号ＣＳＳのＯＦＤＭ復調処理等を行った後、復調結果に基づくデータパケット生成を行う。こうして生成されたパケットＰＫＤは、ソースデコードユニット１４０へ送られる。なお、チャンネルデコードユニット１３０から送られるパケットＰＫＤには、Ａ階層パケットＡＰＫ及びＢ階層パケットＢＰＫが含まれている（図２参照）。
【００２３】
また、チャンネルデコードユニット１３０は、ＯＦＤＭフレームに含まれるＴＭＣＣ（Transmission Multiplexing Configuration Control）信号をデコードして、ＯＦＤＭセグメント数、変調方式及び時間インターリーブ長を抽出して、伝送パラメータＰＲＭとしてソースデコードユニット１４０へ送る。
【００２４】
また、チャンネルデコードユニット１３０は、選局信号ＣＳＳのＳＮＲ（Signal to Noise Ratio）値を検出する。この検出結果は、検出値ＳＮＲとして制御ユニット１９０へ送られる。
【００２５】
上記のソースデコードユニット１４０は、制御ユニット１９０による制御のもとで、チャンネルデコードユニット１３０からのパケットＰＫＤを処理して、選択ユニット１５０へ供給するためのＡ階層データＡＡＶ及びＢ階層データＢＡＶを生成する。かかる機能を有するソースデコードユニット１４０は、図２に示されるように、パケット分離部１４１と、階層処理部１４２とを備えている。
【００２６】
上記のパケット分離部１４１は、チャンネルデコードユニット１３０からのパケットＰＫＤを受ける。そして、パケット分離部１４１は、パケットＰＫＤをＡ階層パケットＡＰＫとＢ階層パケットＢＰＫとに分離する。こうして分離されたＡ階層パケットＡＰＫ及びＢ階層パケットＢＰＫは、階層処理部１４２へ送られる。
【００２７】
上記の階層処理部１４２は、制御ユニット１９０による制御のもとで、Ａ階層パケットＡＰＫ及びＢ階層パケットＢＰＫのソースデコード処理を行うとともに、ソースデコード処理結果の選択ユニット１５０への供給タイミング調整、映像の大きさ及び表示位置の調整を行う。この階層処理部１４２は、図３に示されるように、生成手段の一部としてのＡ階層処理部２１０と、生成手段の一部としてのＢ階層処理部２２０とを備えている。また、階層処理部１４２は、同期化手段の一部としての時間差検出部２３０と、同期化手段の一部としての遅延調整部２４０とを備えている。さらに、階層処理部１４２は、映像調整部２５０を備えている。
【００２８】
上記のＡ階層処理部２１０は、パケット分離部１４１からのＡ階層パケットＡＰＫを受ける。そして、Ａ階層処理部２１０は、制御ユニット１９０による制御のもとで、地上デジタル放送におけるＡ階層放送に採用されているＨ．２６４／ＡＶＣ方式でエンコード化されたＡ階層パケットＡＰＫのソースデコード処理を行い、Ａ階層放送に対応する音声及び映像（以下、「Ａ階層映像」とも記す）を含むＡ階層復号データを生成する。
【００２９】
また、Ａ階層処理部２１０は、Ａ階層映像の画素構成やアスペクト比等の映像構成情報を参照し、Ａ階層映像の大きさを、表示ユニット１７０における表示デバイスの画素構成と適合するように調整する。
【００３０】
こうして生成されたＡ階層復号データは、時間差検出部２３０及び映像調整部２５０へ送られる。
【００３１】
上記のＢ階層処理部２２０は、パケット分離部１４１からのＢ階層パケットＢＰＫを受ける。そして、Ｂ階層処理部２２０は、制御ユニット１９０による制御のもとで、地上デジタル放送におけるＢ階層放送に採用されているＭＰＥＧ２方式でエンコード化されたＢ階層パケットＢＰＫのソースデコード処理を行い、Ｂ階層放送に対応する音声及び映像を含むＢ階層復号データを生成する。こうして生成されたＢ階層復号データは、時間差検出部２３０及び遅延調整部２４０へ送られる。
【００３２】
上記の時間差検出部２３０は、Ｂ階層復号データの生成タイミングと、Ａ階層復号データの生成タイミングとの時間差を検出する。そして、時間差検出部２３０は、Ｂ階層復号データに対して当該時間差の遅延を付与させる遅延調整指令を生成し、遅延調整部２４０へ送る。
【００３３】
この時間差検出部２３０は、本実施形態では、上述した時間差の検出に際して、チャンネルデコードユニット１３０からの伝送パラメータＰＲＭを受ける。また、時間差検出部２３０は、Ａ階層処理部２１０からのＡ階層復号データを受けるとともに、Ｂ階層処理部２２０からのＢ階層復号データを受ける。
【００３４】
そして、時間差検出部２３０は、伝送パラメータＰＲＭに基づいて、Ａ階層放送とＢ階層放送との遅延時間差を予測し、当該予測された遅延時間差に基づいて検索範囲を設定する。引き続き、時間差検出部２３０は、Ｂ階層復号データに含まれる音声の音声フレームの中から基準となる基準フレームを選択する。そして、Ａ階層復号データに含まれる音声の音声フレームの中から、設定された検索範囲内において基準フレームの内容と最も近い内容を持つ音声フレームを検索する。この後、時間差検出部２３０は、上記の検索の結果によって得られた組み合わせの音声フレーム間の時間差を検出する。
【００３５】
上記の遅延調整部２４０は、バッファ等を備えて構成されている。この遅延調整部２４０は、時間差検出部２３０による遅延調整指令に従ったタイミングで、バッファに記録されているＢ階層復号データを、順次、読み出す。こうして読み出されたＢ階層復号データは、遅延調整指令により指定される供給タイミングの調整がなされたものとなっている。かかるＢ階層復号データは、映像調整部２５０へ送られる。
【００３６】
上記の映像調整部２５０は、第１輪郭抽出手段としてのＡ階層抽出部２５１と、第２輪郭抽出手段としてのＢ階層抽出部２５２とを備えている。また、映像調整部２５０は、判定手段としての評価部２５３と、第１及び第２調整手段としての調整部２５４とを備えている。
【００３７】
上記のＡ階層抽出部２５１は、Ａ階層処理部２１０からのＡ階層復号データを受ける。そして、Ａ階層抽出部２５１は、Ａ階層復号データに含まれる映像における輪郭抽出を行う。こうして抽出された輪郭は、Ａ階層輪郭として、評価部２５３へ送られる。
【００３８】
上記のＢ階層抽出部２５２は、遅延調整部２４０からのＢ階層復号データを受ける。そして、Ｂ階層抽出部２５２は、Ｂ階層復号データに含まれる映像における輪郭抽出を行う。こうして抽出された輪郭は、Ｂ階層輪郭として、評価部２５３へ送られる。
【００３９】
上記の評価部２５３は、Ａ階層抽出部２５１からのＡ階層輪郭を受けるとともに、Ｂ階層抽出部２５２からのＢ階層輪郭を受ける。そして、評価部２５３は、Ａ階層輪郭、Ｂ階層輪郭のそれぞれについて、表示時における大きさ及び位置を導出し、Ａ階層復号データ及びＢ階層復号データにおける映像が、同一コンテンツに基づくものであるか否かを判定する。この判定の結果が肯定的であった場合には、評価部２５３は、当該大きさ及び位置に関する情報を、輪郭情報として調整部２５４へ送る。
【００４０】
上記の調整部２５４は、Ａ階層処理部２１０からのＡ階層復号データを受ける。そして、調整部２５４は、評価部２５３からの輪郭情報を受けると、Ａ階層復号データに含まれる映像の映像調整処理を行う。かかる映像調整処理に際して、調整部２５４は、Ａ階層輪郭とＢ階層輪郭との大きさ関係に基づいて、表示時に、Ａ階層輪郭及びＢ階層輪郭の大きさが第１許容範囲内で一致するように、Ａ階層映像の大きさを調整する（以下、この調整を「第１調整」とも呼ぶ）。
【００４１】
なお、この第１許容範囲は、放送切換時に、視聴者に違和感を与えないという観点から、実験、シミュレーション、経験等に基づいて、予め定められる。
【００４２】
また、かかる映像調整処理に際して、調整部２５４は、Ａ階層輪郭とＢ階層輪郭との位置関係に基づいて、Ａ階層輪郭部及びＢ階層輪郭部の表示位置の差が第２許容範囲内で一致するように、Ａ階層映像の表示位置を調整する（以下、この調整を「第２調整」とも呼ぶ）。
【００４３】
なお、この第２許容範囲は、放送切換時に、視聴者に違和感を与えないという観点から、実験、シミュレーション、経験等に基づいて、予め定められる。
【００４４】
図１に戻り、上記の選択ユニット１５０は、ソースデコードユニット１４０からのＡ階層データＡＡＶ及びＢ階層データＢＡＶを受ける。そして、選択ユニット１５０は、制御ユニット１９０による選択指令ＳＬＳに従って、Ａ階層データＡＡＶ及びＢ階層データＢＡＶのいずれかを選択する。こうして選択ユニット１５０において選択された階層データにおける音声が、出力音声データＡＤＴとして音出力ユニット１６０へ送られる。また、選択ユニット１５０において選択された階層データにおける映像が、出力映像データＶＤＴとして表示ユニット１７０へ送られる。
【００４５】
上記の音出力ユニット１６０は、（ｉ）選択ユニット１５０から受信した出力音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１６０により、選択ユニット１５０において選択された放送の音声が再生される。
【００４６】
上記の表示ユニット１７０は、例えば、（ｉ）液晶パネル、有機ＥＬ（Electro Luminescence）パネル、ＰＤＰ（Plasma Display Panel）等の表示デバイスと、（ii）選択ユニット１５０から受信した出力映像データＶＤＴに従って、当該表示デバイスに画像を表示させる表示制御回路とを備えている。この表示ユニット１７０により、選択ユニット１５０において選択された放送の映像が再生される。
【００４７】
なお、本実施形態では、表示デバイスの画格は、一般的な１２セグ放送の映像の大きさと対応する１６：９であるものとする。
【００４８】
上記の操作入力ユニット１８０は、放送受信装置１００の本体部に設けられたキー部、及び／又はキー部を備えるリモート入力装置等により構成される。ここで、本体部に設けられたキー部としては、表示ユニット１７０の表示デバイスに設けられたタッチパネルを用いることができる。また、キー部を有する構成に代えて、又は併用して音声認識技術を利用して音声にて入力する構成を採用することもできる。
【００４９】
この操作入力ユニット１８０を利用者が操作することにより、放送受信装置１００の動作内容の設定が行われる。例えば、選局チャンネルの指定等を、利用者が操作入力ユニット１８０を利用して行う。操作入力ユニット１８０への操作入力結果は、操作入力データＩＰＤとして制御ユニット１９０へ送られる。
【００５０】
上記の制御ユニット１９０は、放送受信装置１００の動作の制御を行う。この制御ユニット１９０は、操作入力ユニット１８０に入力された選局チャンネル指定を操作入力データＩＰＤとして受ける。そして、制御ユニット１９０は、当該選局チャンネル指定に従って、指定されたチャンネルの選択を行わせるための選局指令ＣＳＬを生成し、ＲＦ処理ユニット１２０へ送る。
【００５１】
また、制御ユニット１９０は、チャンネルデコードユニット１３０からの検出値ＳＮＲに基づいて選択指令ＳＬＳを生成し、選択ユニット１５０へ送る。より具体的には、検出値ＳＮＲが所定の値以上である場合には、制御ユニット１９０は、ソースデコードユニット１４０からのＢ階層データＢＡＶを選択すべき旨の選択指令ＳＬＳを生成し、選択ユニット１５０へ向けて出力する。一方、検出値ＳＮＲが所定の値未満である場合には、制御ユニット１９０は、Ａ階層データＡＡＶを選択すべき旨の選択指令ＳＬＳを生成し、選択ユニット１５０へ向けて出力する。
【００５２】
なお、デジタル放送間の切換の指標となる検出値ＳＮＲの所定の値は、実験、シミュレーション、経験等に基づいて、予め定められる。
【００５３】
［動作］
以上のようにして構成された放送受信装置１００の動作について、映像調整部２５０における映像調整処理に主に着目して説明する。
【００５４】
前提として、放送受信装置１００では、ＲＦ処理ユニット１２０において選局処理が行われ、チャンネルデコードユニット１３０においてパケットＰＫＤの生成、ＳＮＲ値の検出等が行われているものとする（図１参照）。また、放送受信装置１００では、ソースデコードユニット１４０のパケット分離部１４１においてパケットＰＫＤがＡ階層パケットＡＰＫとＢ階層パケットＢＰＫとに分離され（図２参照）、階層処理部１４２においてこれらのパケットに対してソースデコード処理が行われ、Ａ階層複号データ及びＢ階層復号データが生成されているものとする（図３参照）。
【００５５】
さらに、制御ユニット１９０が、チャンネルデコードユニット１３０からの検出値ＳＮＲに基づいて選択指令ＳＬＳを生成し、選択ユニット１５０へ送っているものとする。
【００５６】
このような状態のもとにおいて、映像調整処理が、放送受信装置１００の動作中には、常時実行されている。この映像調整処理は、図４に示されるように、まず、ステップＳ１１において、遅延調整部２４０が、時間差検出部２３０による遅延調整指令に従ったタイミングで、Ａ階層復号データ及びＢ階層復号データの映像調整部２５０への供給タイミング調整を行う。この後、処理はステップＳ１２へ進む。
【００５７】
ステップＳ１２では、Ａ階層抽出部２５１が、Ａ階層復号データに含まれる映像における輪郭抽出を行うとともに、Ｂ階層抽出部２５２が、Ｂ階層復号データに含まれる映像における輪郭抽出を行う。こうして抽出された各輪郭は、Ａ階層輪郭及びＢ階層輪郭として評価部２５３へ送られる。
【００５８】
引き続き、ステップＳ１３において、評価部２５３が、Ａ階層復号データ及びＢ階層復号データにおける映像が、同一映像のコンテンツに基づくものであるか否かを判定する。
【００５９】
ここで、同一映像のコンテンツに基づかない映像とは、表示デバイスに表示される映像構成が異なるものをいう。例えば、Ｂ階層映像に通常の映像とともに台風情報等が表示され、Ａ階層映像に通常の映像のみが表示されている場合がこれに当たる。このように、各映像において、表示デバイスに表示される映像構成が異なるときには、Ａ階層輪郭とＢ階層輪郭との大きさ関係、位置関係が、大きく異なることになる。評価部２５３は、当該大きさ関係、位置関係に所定の閾値を設け、大きさ関係、又は、位置関係が所定の閾値以上の場合に、各映像が、同一映像のコンテンツに基づくものではないと判定する。このステップＳ１３における判定の結果が否定的であった場合（ステップＳ１３：Ｎ）には、処理はステップＳ１１へ戻る。
【００６０】
なお、当該閾値は、実験、シミュレーション、経験等に基づいて、予め定められる。
【００６１】
一方、ステップＳ１３における判定の結果が肯定的であった場合（ステップＳ１３：Ｙ）には、処理はステップＳ１４へ進む。
【００６２】
ステップＳ１４では、評価部２５３が、Ａ階層輪郭データとＢ階層輪郭データとの大きさ関係に基づいて、大きさの比が上述した第１許容範囲内か否かを判定する。この判定の結果が肯定的であった場合（ステップＳ１４：Ｙ）には、Ａ階層映像に対する第１調整を行う必要はないため、処理はステップＳ１６へ進む。
【００６３】
一方、ステップＳ１４における判定の結果が否定的であった場合（ステップＳ１４：Ｎ）には、処理はステップＳ１５へ進む。ステップＳ１５では、調整部２５４が第１調整処理を行う。かかる第１調整処理を行うに際して、例えば、Ａ階層映像として図５（Ａ）に示されるような映像が得られ、Ｂ階層映像として図５（Ｂ）に示されるような映像が得られた場合には、調整部２５４は、Ａ階層輪郭及びＢ階層輪郭の大きさが許容範囲内で一致するように、Ａ階層映像の大きさを調整する。なお、ＬＷ：ＬＨTは、表示デバイスの画格と同じ１６：９となっている。この後、処理は図４のステップＳ１６へ進む。
【００６４】
ステップＳ１６では、評価部２５３が、Ａ階層輪郭とＢ階層輪郭との位置関係に基づいて、表示デバイスにおける表示位置の差が上述した第２許容範囲内か否かを判定する。この判定の結果が肯定的であった場合（ステップＳ１６：Ｙ）には、Ａ階層映像に対する第２調整を行う必要はないため、処理はステップＳ１１へ戻る。
【００６５】
一方、ステップＳ１６における判定の結果が否定的であった場合（ステップＳ１６：Ｎ）には、処理はステップＳ１７へ進む。ステップＳ１７では、調整部２５４が第２調整処理を行う。かかる第２調整処理を行うに際して、調整部２５４は、Ａ階層輪郭とＢ階層輪郭との位置関係に基づいて、Ａ階層輪郭及びＢ階層輪郭の表示位置が第２許容範囲内で一致するように、Ａ階層映像の表示位置を調整する（図５参照）。
【００６６】
なお、調整部２５４は、第１及び第２輪郭が共に複数の輪郭を含む場合には、映像中心位置に近い輪郭を重視して、上述した第１及び第２調整処理を行う。このように映像中心位置に近い輪郭を重視した調整処理を行うのは、一般に、視聴者の視線が映像中心位置に集中することから、放送切換時に、映像中心位置における表示映像のシフトや表示映像内容の縦横比の変化を抑制するという理由に基づく。この後、処理はステップＳ１１へ戻る。
【００６７】
以後、上記のステップＳ１１〜Ｓ１７処理が繰り返されて、映像調整処理が行われる。
【００６８】
以上説明したように、本実施形態では、Ａ階層抽出部２５１が、Ａ階層映像におけるＡ階層輪郭の抽出を行い、Ｂ階層抽出部２５２が、Ｂ階層映像におけるＢ階層輪郭の抽出を行う。そして、評価部２５３が、Ａ階層輪郭、Ｂ階層輪郭のそれぞれについて、表示時における大きさ及び位置を導出する。引き続き、調整部２５４が、Ａ階層輪郭とＢ階層輪郭との大きさ関係に基づいて、表示時における大きさの比が第１許容範囲内となるように、Ａ階層映像の大きさを調整する。また、調整部２５４は、Ａ階層輪郭とＢ階層輪郭との位置関係に基づいて、Ａ階層輪郭部及びＢ階層輪郭部の表示位置の差が第２許容範囲内で一致するように、Ａ階層映像の表示位置を調整する。
【００６９】
したがって、本実施形態によれば、ワンセグ放送と１２セグ放送との間で放送切換が行われたときに、許容範囲内の大きさ及び表示位置で映像が切り換る。この結果、同時放送の受信処理において、利用者の利便性を向上させることができる。
【００７０】
［実施形態の変形］
本発明は、上記の実施形態に限定されるものではなく、様々な変形が可能である。
【００７１】
例えば、上記の実施形態では、調整部は、ワンセグ放送に基づく映像の大きさを調整して、１２セグ放送に基づく映像の大きさに合わせることとした。これに対して、例えば、表示デバイスの画格が、一般的なワンセグ放送の映像の大きさと対応する４：３である場合には、１２セグ放送に基づく映像の大きさを調整して、ワンセグ放送に基づく映像の大きさに合わせるようにしてもよい。
【００７２】
また、表示デバイスの画素構成が上述した画格に基づく構成ではない場合であっても、調整部は、当該画像構成に適合するように、ワンセグ放送及び１２セグ放送の基づく双方の映像の大きさを調整するようにしてもよい。
【００７３】
また、上記の実施形態では、映像調整部における映像調整処理は、常時、実行されていることとしたが、放送間の切換時にのみ、当該映像調整処理を実行するようにしてもよい。
【００７４】
また、上記の実施形態では、Ａ階層放送とＢ階層放送との２階層の放送が同一伝送チャンネルに含まれることにしたが、同一伝送チャンネルに含まれる階層放送の数は、３以上であってもよい。
【００７５】
また、上記の実施形態では、検出値ＳＮＲに基づいて、放送波の受信品質を計測した。これに対して、放送波の受信品質の計測は、ＲＦ処理ユニットからの出力信号に対してＡＧＣ（Auto Gain Control）を行う場合におけるＡＧＣ信号の値、ミキサから取得可能なＲＳＳＩ（Received Signal Strength Indicator）、映像伝送方式にＭＰＥＧ２−ＴＳ方式を採用した場合におけるパケットエラーフラグ等に基づいて行うようにしてもよい。
【００７６】
また、上記の実施形態では、検出値ＳＮＲが所定の値以上である場合にＢ階層放送に基づく再生出力を行い、検出値ＳＮＲが所定の値未満である場合にＡ階層放送からの再生出力を行うこととした。これに対して、Ａ階層放送からＢ階層放送へ切り換えるときの閾値を、Ｂ階層放送からＡ階層放送へ切り換えるときの閾値に比べて高く設定する等、両放送間の切換閾値を異なる値にしてもよい。
【００７７】
また、上記の実施形態では、Ｂ階層データの生成タイミングとＡ階層データの生成タイミングとの時間差を、伝送パラメータと、Ｂ階層データ及びＡ階層データに含まれる音声データの音声フレームとを使用して検出した。これに対して、時間差の検出方法は、現在番組情報及び次番組情報を含むイベント情報テーブルを使用する等、いかなる方法であってもよい。
【００７８】
また、上記の実施形態の放送受信装置は、車両に搭載されるものとしたが、車両以外の移動体に搭載されるものであってもよいし、また、地上デジタル放送の受信機能を備えた携帯電話装置であってもよい。
【００７９】
また、本発明は、日本国におけるデジタル放送波を受信する放送受信装置に限らず、国際的に承認されているデジタルテレビ放送のための標準規格であるＤＶＢ（Digital Video Broadcasting）を採用したデジタルテレビ放送波を受信する放送受信装置に適用することができるのは勿論である。
【００８０】
なお、上記の実施形態における制御ユニットを中央処理装置（ＣＰＵ：Central Processor Unit）やＤＳＰ（Digital Signal Processor）を備えるコンピュータシステムとして構成し、制御ユニットの機能を、プログラムの実行によっても実現するようにすることができる。これらのプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【００８１】
【図１】本発明の一実施形態に係る放送受信装置の構成を概略的に示すブロック図である。
【図２】図１のソースデコードユニットの構成を示すブロック図である。
【図３】図２の階層処理部の構成を示すブロック図である。
【図４】図１の装置による映像調整処理を説明するためのフローチャートである。
【図５】映像調整処理前のＡ階層映像及びＢ階層映像の表示例を説明するための図である。
【符号の説明】
【００８２】
１００  …  放送受信装置
１３０  …  チャンネルデコードユニット（計測手段）
１５０  …  選択ユニット（選択手段）
１７０  …  表示ユニット（表示手段）
１９０  …  制御ユニット（選択制御手段）
２１０  …  Ａ階層処理部（生成手段の一部）
２２０  …  Ｂ階層処理部（生成手段の一部）
２３０  …  時間差検出部（同期化手段の一部）
２４０  …  遅延調整部（同期化手段の一部）
２５１  …  Ａ階層抽出部（第１輪郭抽出手段）
２５２  …  Ｂ階層抽出部（第２輪郭抽出手段）
２５３  …  評価部（判定手段）
２５４  …  調整部（第１及び第２調整手段）
【図１】
2010081302.tif 000003
【図２】
2010081302.tif 000004
【図３】
2010081302.tif 000005
【図４】
2010081302.tif 000006
【図５】
2010081302.tif 000007